(57)【特許請求の範囲】
【請求項１】
手首に小型軽量のトランスミッタ１個と１本の指骨に１個ずつ１本の指に合計３個、手の甲部１個の合計片手１６個のセンサを用いた磁気式３次元位置姿勢センサを用いて手指の動きを計測することを特徴とする磁気式位置姿勢センサを用いた手指用モーションキャプチャ計測方法。
【請求項２】
大きさの異なる手指でもトランスミッタおよび１６個のセンサを装着するため、トランスミッタと手の甲部のセンサは伸縮性のある面ファスナーを巻きつけて装着するグローブに固定し、その他のセンサは伸縮性に富むテーピングを用いて装着する構造であることを特徴とする請求項１記載の磁気式位置姿勢センサを用いた手指用モーションキャプチャ計測方法。
【請求項３】
前記請求項１又は請求項２記載の磁気式位置姿勢センサを用いた手指用モーションキャプチャ計測方法において、１６個のセンサ装着時の位置及び角度のズレを補正するため、トランスミッタの位置と姿勢を固定し、それよりｙ0離れた位置に座標軸Xに平行な直線Lを描き、指を直線Lの左右に揃えることで装着者の手指の形状を測定することを特徴とするキャリブレーション手法。
【発明の詳細な説明】
【技術分野】
【０００１】
本発明は、手指の繊細な動きを記録・再現するための磁気式位置姿勢センサを用いた手指用モーションキャプチャ計測方法に関する。
【背景技術】
【０００２】
一般に、動体に装着された光学マーカの位置情報により動体の動きを検出・捕捉する光学式モーションキャプチャ装置と、前記動体に装着された磁気センサの動きを検出・捕捉する磁気式モーションキャプチャ装置と、前記光学式モーションキャプチャ装置にて検出・捕捉した光学データ及び前記磁気式モーションキャプチャ装置にて検出・捕捉した磁気データをキャリブレートするためのキャリブレーション手段と、キャリブレートされた動体の光学データ及び磁気データを用いて、前記動体スケルトンの動作データを生成し、生成された動体スケルトンの動作データを動体キャラクタスケルトンに変換する制御手段とを備えた画像情報処理システムが知られている（特許文献1を参照）。
また、ピアノなどのように手指によって演奏される楽器については、その演奏教習時に実際の手指の運指状態を目視で確認させることは重要な教習方法であり、楽器演奏時の運指を表示してその演奏教習を支援する運指データ作成装置及び運指表示装置が知られている（特許文献２を参照）。
現在、手指のモーションキャプチャ（MoCap）としては、グローブに埋め込まれた光ファイバーが曲がる時に光伝送率が減衰することを機序として手指の動きを測定する製品が主流であるが、手の動きの８５％程度しか測定できないし、手の大きさに合わせて買い揃えなければならないなど、精度と汎用性の点で問題が残っていた。
【０００３】
【特許文献１】特開２００３−１０６８１２号公報
【特許文献２】特開２０００−３１７１号公報
【発明の開示】
【発明が解決しようとする課題】
【０００４】
本発明は、手指の繊細な動きを記録・再現するための磁気式位置姿勢センサを用いた手指用モーションキャプチャ計測方法を提供することを目的とする。
【課題を解決するための手段】
【０００５】
本発明の磁気式位置姿勢センサを用いた手指用モーションキャプチャ計測方法は、ケーブルを細線化した小型軽量のトランスミッタ１個と指骨に１個ずつ１本の指に合計３個、手の甲部１個の合計片手１６個のセンサを用いた磁気式３次元位置姿勢センサを用いて手指の動きを計測するものである。
さらに、大きさの異なる手指でもトランスミッタおよび１６個のセンサを装着するため、トランスミッタと手の甲部のセンサは伸縮性のある面ファスナーを巻きつけて装着するグローブに固定し、その他のセンサは伸縮性に富むテーピングを用いて装着する構造である。
本発明のキャリブレーション手法は、磁気式位置姿勢センサを用いた手指用モーションキャプチャ計測方法において、１６個のセンサ装着時の位置及び角度のズレを補正するため、トランスミッタの位置と姿勢を固定し、それよりｙ0離れた位置に座標軸Xに平行な直線Lを描き、指を直線Lの左右に揃えることで装着者の手指の形状を測定するものである。
【発明の効果】
【０００６】
本発明の磁気式位置姿勢センサを用いた手指用モーションキャプチャ装置は、測定できなかった手指の全ての関節における回転成分やズレまでもサブミリ精度で240Hzのサンプリングレートで計測出来る。
本発明の磁気式位置姿勢センサを用いた手指用モーションキャプチャ装置は、小型軽量のトランスミッタと１６個のセンサに加え、センサケーブルの細線化により指先などの小さな部位への装着を可能にした。
さらに、手指に１６個のセンサを一定の姿勢で安定して装着するために解剖学的知見を踏まえた装着ユニットの技術開発により，汎用性の高い手指のモーションキャプチャを実現した。
また、左右両方の手を同時に測定できるキャプチャ用ソフトウェアの開発，また，リアルタイムで３D-CGを描画するソフトウェアの開発により手指用モーションキャプチャシステムを実現している。
【発明を実施するための最良の形態】
【０００７】
本発明の磁気式位置姿勢センサを用いた手指用モーションキャプチャ装置の一実施例を図面に基づいて、以下に説明する。
図１に示すように、磁気式三次元位置姿勢システム（Liberty 16 system）は、１個のトランスミッタ（Transmitter）と１６個のセンサ（sensors）で構成されており、トランスミッタに対するセンサの相対的な位置（X,Y,Z）および角度（Az,El,Ro）を計測することができる。
それぞれのセンサは指に装着し易いようにモールドしており、１本の指に３個のセンサを装着できる。
指骨に１個ずつ１本の指に合計３個、片手あたり手の甲部の１個を加え計１６個のセンサで手指のモーションキャプチャ（MoCap）を構成しており、あらゆる手の動きを計測することができる。
また、手の大きさに関わらず装着できることを重視し、トランスミッタと手の甲部のセンサを固定するグローブは伸縮性のある面ファスナーを巻きつけて装着し、その他のセンサは伸縮性に富むテーピングを用いて装着する構造である。
指先に装着するセンサと爪との間には液状プラスチックを介することでズレを防ぎ、伸縮性がありべたつかない接着剤（商品名：Kinesiotex）で固定する。
磁気式三次元位置姿勢システムはＵＳＢケーブル経由でコンピュータと接続し、１６ｃｈを２４０Ｈｚのサンプリングレートで計測する。
【０００８】
本発明では、磁気式三次元位置姿勢センサのトランスミッタおよび１６個のセンサの小型・軽量化とケーブルの細線化により、指先などの小さな部位の測定を可能にした。
さらに、１６個のセンサを多チャンネル化することで，両手の手指を同時に計測することが出来る。
また、トランスミッタと１６個のセンサの最適な配置を検討し、１６個のセンサおよびケーブルの小型軽量化により，従来は不可能であった指先にも装着できるように改良した。
指１本あたり３カ所、片手あたり計15カ所と手の甲部１カ所の16カ所の位置（x,y,z）および姿勢（Az,El,Ro）の同時計測を可能にした。
また、１６個のセンサを手指に装着するための装着ユニットを開発し，大きさの異なる手でも同一の装着ユニットを着用できるようにした．
手指の動きを再現するためには装着している手指の手骨の大きさ・形状を正確に計測した後，１６個のセンサの位置・姿勢に関するキャプチャ・データから変換写像を用いて手骨の位置・姿勢を再現しなければならない。
【０００９】
本発明では、そのために必要な計測手法および変換写像を導出するキャリブレーション手法も提案する。
手首にトランスミッタ、手指にセンサを装着する際、センサの位置は指の中心からずれており、センサと指骨の間の角度に差が生じてしまうため、実物の手指の姿勢・動きの情報と異なったものが計測データとして得られる。
磁気式三次元位置姿勢システムを用いた手指のモーションキャプチャ（MoCap）で記録したデータを３D-CGで再現するとき、指の個々の要素を実際のヒトのそれと一致させる作業、つまりキャリブレーションが必要となる。
図1にある各センサの中心に原点を仮定すると、トランスミッタから見た時それらの位置座標（X,Y,Z）および姿勢を示すオイラー角（Azimuth,Elevation,Roll;Az,El,Ro）の情報が得られ、パソコンにリアルタイムで記録される。
センサにより計測可能なデータは、図２（ａ）に示しており、X、Y、Zはトランスミッタの座標系を表し、ｘ’、ｙ’、ｚ’はセンサの座標系を示している。
前述のセンサ装着時の位置及び角度のズレをキャリブレーションするため、図２（ｂ）にあるように、トランスミッタの位置と姿勢を固定し、それよりｙ0離れた位置に座標軸Xに平行な直線Lを描き、指を直線Lの左右に揃えることでキャリブレーションを試みた。
ここでは、右手の人差し指の１センサを例に説明する。
指が直線Lの右にあるときのセンサのY座標をYR、左にある場合をYLとするとY座標は指の幅の中心をとり、Y+ｙ0−（YR+YL）/2と変換できる。
ここで、（YR−YL）は指の幅を示す。
同様に、全てのセンサのY座標を修正する。
図２（ｂ）の方法でZ座標およびAz、El、Roのキャリブレーションも可能である。
図３には、手を開いた状態から握るまでの右手センサ位置の変位を３次元空間に描画したCGを示す。
【図面の簡単な説明】
【００１０】
【図１】手指用モーションキャプチャ装置の概略を示す構成図である。
【図２】センサの位置・姿勢のキャリブレーション例を示す説明図である。
【図３】右手指に装着したセンサの変位を示す説明図である。
【図１】
0004465476.tif 000002
【図２】
0004465476.tif 000003
【図３】
0004465476.tif 000004